(57)【要約】【課題】外部プラグに捻りや曲げの力が加わっても第１キャビネットと第２キャビネットとの間に隙間が発生せず、外部プラグ用コネクタの半田付けが外れないようにする。【解決手段】互いに結合される正面側キャビネット３と背面側キャビネット４との間に外部プラグ用コネクタ１１を挟み込んだ状態で内蔵する。正面側キャビネット３に外部プラグ５０が挿入される筒状のリング部材１３を固定し、リング部材１３の奥側において外部プラグ用コネクタ１１に半田付けを施す。一方で、リング部材１３と外部プラグ用コネクタ１１とは結合しない。【選択図】図１
2015065587.tif 000002
【特許請求の範囲】
【請求項１】
互いに結合される第１キャビネットと第２キャビネットとの間に外部プラグ用コネクタが挟み込まれた状態で内蔵された電子機器において、
上記第１キャビネットには、外部プラグが挿入される筒状のリング部材が固定され、該リング部材の奥側において上記外部プラグ用コネクタが半田付けされており、
上記リング部材と上記外部プラグ用コネクタとは結合されていない
ことを特徴とする電子機器。
【請求項２】
請求項１に記載の電子機器において、
上記リング部材は、筒状部と、該筒状部に連続し、上記第１キャビネットの凹部に係合されて該リング部材のずれを防止する係合部とを有する
ことを特徴とする電子機器。
【請求項３】
請求項２に記載の電子機器において、
上記外部プラグ用コネクタは、上記第１キャビネットと上記第２キャビネットとの間に挟み込まれた防水シールによる防水領域の外側に配置されている
ことを特徴とする電子機器。
【請求項４】
請求項３に記載の電子機器において、
上記外部プラグ用コネクタの基端側は、上記第１キャビネットに形成した貫通孔を通って上記防水領域の内部に装着された回路基板に接続され、上記貫通孔の内面との間で防水されている
ことを特徴とする電子機器。
【請求項５】
請求項２〜４のいずれか１つに記載の電子機器において、
上記筒状部の先端は、上記第１キャビネットに形成したコネクタ用開口から露出している
ことを特徴とする電子機器。
【発明の詳細な説明】
【技術分野】
【０００１】
本発明は、  互いに結合される第１キャビネットと第２キャビネットとの間に外部プラグ用コネクタが挟み込まれた状態で内蔵された電子機器に関するものである。
【背景技術】
【０００２】
従来より、スマートフォンに代表される電子機器では、外部への信号の送受信や電力の供給のためにイヤホン、マイクロＵＳＢ（登録商標）などの外部プラグを接続するための外部プラグ用コネクタを内蔵することが知られている。
【０００３】
例えば、特許文献１では、制御部品を接続支持すると共に、制御部品に電力や電気信号を送受する端子部を備えた基板と、この基板を格納支持する筐体とを備え、基板には筐体の内部で所定の間隙をもって筐体に支持されると共に、端子部に筐体を介して差込まれるコネクタを接続する孔を明けた保持板を取り付けている。
【先行技術文献】
【特許文献】
【０００４】
【特許文献１】特開平８−２８８０１０号公報
【発明の概要】
【発明が解決しようとする課題】
【０００５】
しかしながら、従来の電子機器では、外部プラグ用コネクタが固定されている基板に直接保持板が取り付けられているため、外部プラグの捻りにより保持板が動いたとき外部プラグ用コネクタに破損が発生するおそれがある。また、保持板が筺体に固定されていないため、外部プラグの捻りにより筺体に浮きが発生するという問題がある。
【０００６】
また防水性を有する電子機器では、外部プラグ用コネクタに捻りや曲げの力が作用すると、筐体の合わせ面が広がって防水性能が低下するおそれがある。
【０００７】
本発明は、かかる点に鑑みてなされたものであり、その目的とするところは、外部プラグに捻りや曲げの力が加わっても第１キャビネットと第２キャビネットとの間に隙間が発生せず、外部プラグ用コネクタの半田付けが外れないようにすることにある。
【課題を解決するための手段】
【０００８】
上記の目的を達成するために、この発明では、外部プラグ用コネクタの先端をリング部材として分割し、それを第１キャビネットに固定するようにした。
【０００９】
具体的には、本発明では、互いに結合される第１キャビネットと第２キャビネットとの間に外部プラグ用コネクタが挟み込まれた状態で内蔵された電子機器を前提とする。
【００１０】
そして、上記第１キャビネットには、外部プラグが挿入される筒状のリング部材が固定され、該リング部材の奥側において上記外部プラグ用コネクタが半田付けされており、
上記リング部材と上記外部プラグ用コネクタとは結合されていない。
【００１１】
上記の構成によると、外部プラグに捻りや曲げなどの力が加わると、その力がリング部材を介して第１キャビネットで支持されるが、リング部材とは結合されていない外部プラグ用コネクタ自体には力が伝達されず、その半田付けが剥がれてしまうことはない。また、リング部材が荷重を支えるので、第１キャビネットと第２キャビネットとの間で隙間が発生せず、防水性が低下しない。
【発明の効果】
【００１２】
以上説明したように、本発明によれば、第１キャビネットに外部プラグが挿入される筒状のリング部材を固定し、このリング部材の奥側にリング部材と結合されていない外部プラグ用コネクタを半田付けするようにしたことにより、外部プラグに捻りや曲げの力が加わっても第１キャビネットと第２キャビネットとの間に隙間が発生せず、外部プラグ用コネクタの半田付けが外れないようにすることができる。
【図面の簡単な説明】
【００１３】
【図１】図２（ａ）のＩ−Ｉ線拡大断面図である。
【図２】本発明の実施形態としての携帯電話機を示し、（ａ）が正面から見た斜視図で、（ｂ）が背面から見た斜視図である。
【図３】携帯電話機の分解斜視図である。
【図４】外部プラグ用コネクタ及びその周辺を拡大して示す分解斜視図である。
【図５】外部プラグ用コネクタ及びその周辺を拡大して示す斜視図である。
【図６】リング部材及びその周辺を示す拡大斜視図である。
【図７】正面側キャビネットのコネクタ用開口及びその周辺を拡大して示す斜視図である。
【図８】リング部材を拡大して示し、（ａ）が下方から見た斜視図で、（ｂ）が上方から見た斜視図である。
【発明を実施するための形態】
【００１４】
以下、本発明の実施形態を図面に基づいて説明する。
【００１５】
図１〜図３は、本発明の実施形態の電子機器としての携帯電話機１を示し、この携帯電話機１は、例えば、スマートフォンであり、正面側にタッチパネルを含む表示部２を有し、この表示部２が第１キャビネットとしての正面側キャビネット３に収容されている。正面側キャビネット３は、第２キャビネットとしての背面側キャビネット４に結合され、その背面をリアカバー５が覆っている。正面側キャビネット３と背面側キャビネット４との間には、回路基板６が収容され、その下方に充電池７が収容されている。図３に示すように、携帯電話機１は、上下に延びるアンテナ８を有し、正面側キャビネット３と背面側キャビネット４とは、複数のビス９やクリップ１０で結合されている。
【００１６】
図４〜図６にも示すように、上側における正面側キャビネット３と背面側キャビネット４との間には、外部プラグ用コネクタ１１が挟み込まれている。この外部プラグ用コネクタ１１は、イヤホンプラグなどの外部プラグ５０が抜き差しされるもので、外部プラグ用コネクタ１１は、フレキシブル基板１１ａに半田付け１１ｂが施され、そのフレキシブル基板１１ａの下端が下方へ伸び、回路基板６に接続されるようになっている。
【００１７】
外部プラグ用コネクタ１１は、正面側キャビネット３に形成したコネクタ収容部３ａに嵌め込まれている。このコネクタ収容部３ａは、正面側キャビネット３と背面側キャビネット４との間を防水する防水シール１２の防水領域の外側に設けられている。そして、防水シール１２の正面側に形成されたコネクタ用貫通孔３ｂに外部プラグ用コネクタ１１の断面長円形の基端部１１ｃが挿入されている。基端部１１ｃはＯリング等によって防水されている。
【００１８】
一方、図７に示すように、正面側キャビネット３には、円弧状に切り欠かれたコネクタ用開口３ｃが形成されている。このコネクタ用開口３ｃには、筒状のリング部材１３が嵌め込まれて固定されている。リング部材１３の先端は、正面側キャビネット３に形成したコネクタ用開口３ｃから露出している。
【００１９】
図８に拡大して示すように、リング部材１３は、円筒状の筒状部１３ａを有し、この筒状部１３ａに一体に板状の係合部１３ｂが伸びている。係合部１３ｂの一端は、Ｌ字状に折り曲げられ、他端は先端が細くなっている。この係合部１３ｂは、正面側キャビネット３に形成した凹部３ｄに係合されるようになっている。この係合により、携帯電話機１の厚さ方向、上下方向及び左右方向の、リング部材１３のずれを防止するようになっている。しかしながら、本実施形態では、このリング部材１３と外部プラグ用コネクタ１１とは結合されていない。
【００２０】
このように、本実施形態では、係合部１３ｂが正面側キャビネット３に確実に係合してリング部材１３のずれを確実に防止する。そして、外部プラグ５０に捻りや曲げなどの力が加わると、その力がリング部材１３を介して正面側キャビネット３で支持されるが、リング部材１３とは結合されていない外部プラグ用コネクタ１１自体には力が伝達されず、その半田付け１１ｂが剥がれてしまうことはない。また、リング部材１３が荷重を支えるので、正面側キャビネット３と背面側キャビネット４との間で隙間が発生せず、防水性が低下しない。
【００２１】
また、正面側キャビネット３と背面側キャビネット４との間の隙間の発生を抑制しながら、外部プラグ用コネクタ１１を防水領域の外に配置することで、外部プラグ５０が抜き差しされる外部プラグ用コネクタ１１周辺の防水性が向上している。
【００２２】
さらに、外部プラグ用コネクタ１１の基端部１１ｃを正面側キャビネット３に形成したコネクタ用貫通孔３ｂを通って防水領域の内部に装着された回路基板６に接続しているので、コネクタ用貫通孔３ｂにおいて防水性を確保することができる。
【００２３】
また、筒状部１３ａの先端をコネクタ用開口３ｃから露出させているので、露出した筒状部１３ａの先端を外観部品として利用し、正面側キャビネット３及び背面側キャビネット４と色彩をそろえたり、異なる色彩や材質のものとしたり、表面仕上げ変更（ツヤ、シボ、無電解メッキ）をしたりすることで、外観を向上させることができる。
【００２４】
したがって、本実施形態にかかる携帯電話機１によると、外部プラグ５０に捻りや曲げの力が加わっても正面側キャビネット３と背面側キャビネット４との間に隙間が発生せず、外部プラグ用コネクタ１１の半田付け１１ｂが外れないようにすることができる。
【００２５】
（その他の実施形態）
本発明は、上記実施形態について、以下のような構成としてもよい。
【００２６】
すなわち、上記実施形態では、第１キャビネットを正面側キャビネット３とし、第２キャビネットを背面側キャビネット４としているが、逆に第２キャビネットを正面側キャビネット３とし、第１キャビネットを背面側キャビネット４とし、背面側キャビネット４にリング部材１３及び外部プラグ用コネクタを固定するようにしてもよい。
【００２７】
上記実施形態では、外部プラグをイヤホンプラグとしているが、マイクロＵＳＢなどの電気信号及び電流を送受信するものでもよい。
【００２８】
上記実施形態では、電子機器は、携帯電話機１としたが、ＰＨＳ（Personal Handy-phone System ）、ＰＤＡ(Personal DigitalAssistant)、スマートフォン、パソコン、モバイルツール、電子辞書、電卓、ゲーム機等であってもよく、液晶ディスプレイ、液晶テレビ、ブルーレイ（ＤＶＤ）レコーダ等であってもよい。
【００２９】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００３０】
１      携帯電話機（電子機器）
２      表示部
３      正面側キャビネット（第１キャビネット）
３ａ    コネクタ収容部
３ｂ    コネクタ用貫通孔
３ｃ    コネクタ用開口
３ｄ    凹部
４      背面側キャビネット（第２キャビネット）
５      リアカバー
６      回路基板
７      充電池
８      アンテナ
９      ビス
１０      クリップ
１１      外部プラグ用コネクタ
１１ａ    フレキシブル基板
１１ｂ    半田付け
１１ｃ    基端部
１２      防水シール
１３      リング部材
１３ａ    筒状部
１３ｂ    係合部
５０      外部プラグ
【図１】
2015065587.tif 000003
【図２】
2015065587.tif 000004
【図３】
2015065587.tif 000005
【図４】
2015065587.tif 000006
【図５】
2015065587.tif 000007
【図６】
2015065587.tif 000008
【図７】
2015065587.tif 000009
【図８】
2015065587.tif 000010